(57)【特許請求の範囲】
【請求項１】
少なくとも１つの導体を含む回路に適用される回路保護装置（１００）であって、
前記少なくとも１つの導体と電気的に結合された少なくとも１つの位相電極アセンブリ（３００）であって、調節可能電極アセンブリ（２５６）を含む少なくとも１つの位相電極アセンブリ（３００）と、
前記調節可能電極アセンブリ（２５６）を内部に固定するように寸法決めされた少なくとも１つの絶縁領域（２２０）と、側壁と内壁とを有する導体基部（２０４）と、
前記導体基部（２０４）に結合された、少なくとも１つの絶縁チャネル（２６２）を有する導体カバー（２２８）であって、前記調節可能電極アセンブリ（２５６）が前記少なくとも１つの絶縁領域（２２０）を少なくとも部分的に介して延在する、導体カバー（２２８）と、
を備え、
前記側壁と前記内壁は、前記少なくとも１つの絶縁領域（２２０）の各々を画定するように配置されており、
前記内壁は、前記少なくとも１つの位相電極アセンブリ（３００）の複数の位相ストラップ（３０２）間の絶縁を提供する、
回路保護装置（１００）。
【請求項２】
前記調節可能電極アセンブリ（２５６）が、
電極（２５８）と、
開口（４３６）であって、該開口（４３６）内の前記電極（２５８）の位置が第１方向（４２６）及びその反対側の第２方向（４２８）に調節可能なように、前記電極（２５８）を受け入れるように寸法決めされた開口（４３６）を画定するクランプ部（４２４）を有する電極ホルダ（２６０）と、
を備える、請求項１に記載の回路保護装置（１００）。
【請求項３】
前記クランプ部（４２４）が、前記電極（２５８）を前記開口（４３６）内に固定するように構成されたクランプ機構（４３８）を備える、請求項２に記載の回路保護装置（１００）。
【請求項４】
前記電極（２５８）が第１面（４０６）を有し、
前記開口（４３６）がその反対側の第２面を有し、
前記第２面から前記第１面（４０６）へ電気エネルギーが移動するように、前記電極（２５８）が前記開口（４３６）内に固定されるように前記クランプ部（４２４）が構成されている、請求項２に記載の回路保護装置（１００）。
【請求項５】
前記少なくとも１つの位相電極アセンブリ（３００）が、前記少なくとも１つの導体から前記電極（２５８）に電流を流すための、前記電極ホルダ（２６０）に結合された前記位相ストラップ（３０２）を備える、請求項２乃至４のいずれかに記載の回路保護装置（１００）。
【請求項６】
前記少なくとも１つの位相電極アセンブリ（３００）が、前記少なくとも１つの導体から前記位相ストラップ（３０２）に電流を流すための、前記少なくとも１つの導体に結合されたコネクタを更に備える、請求項５に記載の回路保護装置（１００）。
【請求項７】
前記少なくとも１つの導体から前記電極（２５８）へ電気エネルギーを移動させるために、前記コネクタ、前記位相ストラップ（３０２）、及び前記電極ホルダ（２６０）によって導電路が画定されている、請求項６に記載の回路保護装置（１００）。
【請求項８】
基板（２０２）を更に備え、
前記導体基部（２０４）によって、前記位相ストラップ（３０２）と前記基板（２０２）とを電気的に絶縁する、請求項５に記載の回路保護装置（１００）。
【請求項９】
前記少なくとも１つの位相電極アセンブリ（３００）が複数の位相電極アセンブリ（３００）から成り、
前記導体基部（２０４）は、各々が前記複数の位相電極アセンブリ（３００）のそれぞれの位相ストラップ（３０２）を受け入れるように寸法決めされた複数の絶縁領域（２２０）を有し、
前記導体カバー（２２８）は、各々が前記複数の位相電極アセンブリ（３００）の各位相電極アセンブリ（３００）を収容するように寸法決めされた複数の絶縁チャネル（２６２）を備える、請求項５に記載の回路保護装置（１００）。
【請求項１０】
前記回路保護装置（１００）が、アークを生じるように構成されており、
前記回路保護装置（１００）が、前記導体カバー（２２８）に結合された封じ込め区画（１０２）を更に備え、前記封じ込め区画（１０２）は、アークによって発生した電気エネルギーを封じ込めるように構成された外殻（１０４）を含む、請求項１乃至９のいずれかに記載の回路保護装置（１００）。
【発明の詳細な説明】
【技術分野】
【０００１】
本明細書に開示の実施形態は、主に電力機器の保護装置に関し、特に、調節可能電極アセンブリを含む装置に関する。
【背景技術】
【０００２】
既知の電力回路及びスイッチギヤは通常、空気、或いは、気体又は固体誘電体等の絶縁体によって絶縁された複数の導体を有する。しかし、導体が互いに接近し過ぎた状態で位置している場合、又は導体間の電圧が導体間の絶縁体の絶縁特性を超過している場合、アークが発生する可能性がある。導体間の絶縁体がイオン化すると、絶縁体が導電性になり、アークフラッシュが生じることがある。
【０００３】
アークフラッシュは、２つの相導体の間、相導体と中性導体との間、又は相導体と接地点との間の故障に起因するエネルギーの急速な放出によって生じる。アークフラッシュの温度は、２００００℃以上に達する可能性があるため、導体及び隣接する機器が気化することがある。更に、アークフラッシュでは、導体及び隣接する機器が損傷するだけの、熱、強い光、圧力波、及び／又は音波の形態の大きなエネルギーが放出されることがある。しかし、アークフラッシュを生じる故障の電流レベルは、通常、回路遮断器が特にアーク故障条件に対応するように設計されていない限り、回路遮断器がトリップ又は遅延トリップしないように、短絡回路の電流レベルよりも低くなっている。個人用保護衣及び機器の使用を義務づけることによってアークフラッシュの問題を規制するための機関及び基準が存在するものの、アークフラッシュを排除する規制によって確立された装置は存在しない。
【０００４】
ヒューズ及び回路遮断器等の標準的な回路保護装置は、一般的に、アークフラッシュを軽減できるほど高速で反応しない。十分高速で反応する既知の回路保護装置の１つが、電気エネルギーをアーク放電点から逸らすための電気的「短絡回路」を意図的に形成することによる機械的及び／又は電気機械的プロセスを利用した、電気的な「金テコ」である。このような意図的な短絡回路故障は、その後、ヒューズ又は回路遮断器を取り外すことで解消する。しかし、金テコを使用して形成した意図的な短絡回路故障では、隣接する電気機器に高レベルの電流が流れることになるので、ひいては機器に損傷が及ぶ可能性がある。
【０００５】
十分高速で反応する既知の回路保護装置の別例が、電気エネルギーをアーク放電点から逸らすために密閉アークを形成する、アーク抑制装置である。少なくとも幾つかの既知のアーク抑制装置は、各々が対応する電極ホルダ内に直接ねじ込まれた、複数の電極を含む。これらの電極により、電極ホルダとの接合点（即ち、ねじ込み部）に電気エネルギーが集中し、このことによって、使用中に故障が生じ得る構造的に脆弱な部位が形成される。また、このように接合点にエネルギーが集中すると、電極が電極ホルダに溶接又は溶融し、このことによって、使用後に電極及び電極ホルダの両方を交換しなければならなくなる可能性がある。更に、このようなねじ込み式の電極の製造時の公差が原因で、一貫した結果が得られるようにこれらの電極を位置決めすることは難しい場合がある。
【先行技術文献】
【特許文献】
【０００６】
【特許文献１】米国特許第４９０４８３８号
【発明の概要】
【発明が解決しようとする課題】
【０００７】
調節可能電極アセンブリを含む装置を提供する。
【課題を解決するための手段】
【０００８】
一態様において、少なくとも１つの導体を含む回路に適用される回路保護装置を提供する。この回路保護装置は、少なくとも１つの導体に電気的に結合された少なくとも１つの位相電極アセンブリを含み、この少なくとも１つの位相電極アセンブリは、調節可能電極アセンブリを含む。回路保護装置は更に、調節可能電極アセンブリを固定するように寸法決めされた少なくとも１つの絶縁領域を内部に有する導体基部と、この導体基部に結合されており少なくとも１つの絶縁チャネルを含む導体カバーとを含む。調節可能電極アセンブリは、少なくとも１つの絶縁チャンバを少なくとも部分的に介して延在する。
【０００９】
別の態様において、電極ホルダに移動可能に結合された電極と位相ストラップとを各々が有する複数の位相電極アセンブリを含む回路保護装置に適用される、電気絶縁構造体を提供する。この電気絶縁構造体は、内部にそれぞれの位相ストラップを固定するように寸法決めされた複数の絶縁領域を有する導体基部を含み、この導体基部は、複数の位相電極アセンブリの位相ストラップどうしの間を電気的に絶縁するように構成される。この電気絶縁構造体は更に、導体基部に結合されており複数の絶縁チャネルを含む導体カバーを含み、それぞれの電極ホルダが、複数の絶縁チャネルのそれぞれの絶縁チャンバを少なくとも部分的に介して延在していることによって、複数の位相電極アセンブリの複数の電極ホルダどうしの間を電気的に絶縁している。
【００１０】
別の態様において、少なくとも１つの導体を含む回路に適用される回路保護装置の組み立て方法を提供する。回路保護装置は、少なくとも１つの絶縁領域を有する導体基部と、少なくとも１つの絶縁チャネルを有する導体カバーと、電極ホルダ及び電極ホルダ内に画定された開口内に固定された電極を有する少なくとも１つの電極支柱アセンブリとを含む。本方法は、電極を開口に挿入するステップと、電極を開口内に固定するステップと、少なくとも１つの電極支柱アセンブリを少なくとも１つの絶縁領域内に固定するステップと、少なくとも１つの電極支柱アセンブリが少なくとも１つの絶縁チャネルを少なくとも部分的に介して延在するように導体カバーを導体基部に結合するステップと、少なくとも１つの電極支柱アセンブリを少なくとも１つの導体に電気的に結合するステップと、を含む。
【図面の簡単な説明】
【００１１】
【図１】例示的な回路保護装置の斜視図である。
【図２】図１に示す回路保護装置に適用可能な電気絶縁構造体の斜視図である。
【図３】図２に示す電気絶縁構造体の部分分解図である。
【図４】図１に示す回路保護装置に適用可能な位相電極アセンブリの斜視図である。
【図５】図４に示す位相電極アセンブリの別の斜視図である。
【図６】図４及び５に示す位相電極アセンブリに適用可能な、例示的な電極アセンブリの図である。
【発明を実施するための形態】
【００１２】
回路保護装置に適用される装置及びその組み立て方法の実施例を、以下に記載する。これらの実施例により、アーク抑制装置等の回路保護装置内の電極間の距離調節が容易になる。電極間の距離又は空隙を調節できると、オペレータは、回路保護装置を使用する環境に最も適するように回路保護装置を設定できる。例えば、電極間の距離を、システム電圧に基づいて設定できる。また、本明細書に記載の実施形態では、回路保護システムの中でもとりわけコストが低い要素である電極を、使用後に交換できる。
【００１３】
図１は、複数の導体（図示せず）を含む回路（図示せず）の保護に使用する、例示的な回路保護装置１００の斜視図である。より具体的には、回路保護装置１００を電力分配器（図示せず）の保護に使用してもよい。図１の実施例において、回路保護装置１００は、外殻１０４を有する封じ込め区画１０２と、この封じ込め区画１０２に結合された制御装置１０６とを含む。本明細書で使用する用語「制御装置」は、通常、システム及びマイクロコントローラを含む、あらゆるプログラム可能システム、縮小命令セットコンピュータ（ＲＩＳＣ）、特定用途向け集積回路（ＡＳＩＣ）、プログラム可能論理回路（ＰＬＣ）、及び本明細書に記載の機能を実行可能な、その他あらゆる回路又はプロセッサを指す。上記の例は例示的なものにすぎないため、用語「制御装置」の定義及び／又は意味を限定することを意図することはない。
【００１４】
動作中、制御装置１０６は、機器筺体（図示せず）内のアークフラッシュの検出に使用する１つ以上のセンサ（図示せず）から信号を受信する。センサ信号は、回路の１つ以上の導体を流れる電流の測定、回路の導体間の電圧測定、機器筺体の１つ以上の領域の光測定、回路遮断器の設定又は状態、感度設定、及び／又は電力分配器に関する動作状態又は動作データを示すその他あらゆる適当なセンサ信号に該当し得る。制御装置１０６は、センサ信号に基づいて、アークフラッシュが発生しているか、又は発生しそうであるかを判定する。アークフラッシュが発生しているか又は発生しそうである場合、制御装置１０６は、封じ込め区画１０２内で密閉アークフラッシュを発生させ、信号を、例えばアークフラッシュの危険性のある回路と電気的に結合された回路遮断器に送信する。信号に応答して、プラズマガン（図示せず）が複数の電極（図１には図示せず）間にアブレーションプラズマを放出し、密閉アークを発生させる。密閉アークにより、過剰なエネルギーを回路から除去し、回路及び任意の電力分配器を保護することができる。
【００１５】
図２は、回路保護装置１００の電気絶縁構造体２００の斜視図であり、図３は電気絶縁構造体２００の部分分解図である。この実施例において、電気絶縁構造体２００は、回路保護装置１００を電力分配器（図示せず）の機器筺体（図示せず）に挿入可能な基板２０２を含む。更に、電気絶縁構造体２００は、基板２０２に結合された導体基部２０４を含む。導体基部２０４は、第１端部２０６及びその反対側の第２端部２０８を含む。導体基部２０４は更に、上面２１０及び基板２０２に対向して位置する底面２１２を含む。側壁２１４は、上面２１０と底面２１２との間に延在し、上面２１６を含む。更に、内壁２１８は、位相ストラップ（図２及び３には図示せず）が内部に位置し、位相ストラップと基板２０２とが電気的に絶縁されるように各々が寸法決めされた、複数の電気絶縁領域２２０を画定する。各絶縁領域２２０は、ネジ又はボルト等の結合機構を挿通させるように寸法決めされた、１つ以上の中空支柱２２２を含む。更に、各絶縁領域２２０は、位相ストラップを導体基部２０４に固定するための、１つ以上の取付支柱２２４を含む。取付孔２２６が、各取付支柱２２４に挿通され、ネジ又はボルト等の結合機構をその内部に受け入れるように寸法決めされる。
【００１６】
電気絶縁構造体２００は更に、導体基部２０４に結合された導体カバー２２８を含む。具体的に、導体カバー２２８は、第１端部２３０、反対側の第２端部２３２、上面２３４、及び底面２３８を有する側壁２３６を含む。導体カバー２２８は、各々がそれぞれの中空支柱２２２を貫通して導体カバー２２８内に固定されたネジ又はボルト（図示せず）等の複数の結合機構を用いて、導体基部２０４に結合される。導体カバー２２８が導体基部２０４に結合されると、底面２３８は実質的に上面２１６と面一になる。これに加えて、電気絶縁構造体２００は、導体基部２０４及び導体カバー２２８に結合された垂直障壁２４０を含む。具体的に、垂直障壁２４０は、前面２４２及びその反対側の後面２４４、並びに上面２４６及びその反対側の底面２４８を含む。垂直障壁２４０は、垂直障壁前面２４２の一部が導体基部の第２端部２０８及び導体カバーの第２端部２３２と接触して位置するように、導体基部２０４及び導体カバー２２８に結合される。垂直障壁２４０は更に、後面２４４に形成された複数の凹部２５０を含む。各凹部２５０は、垂直ライザ（図２及び３には図示せず）がその内部に位置すると共に垂直ライザどうしの間が電気的に絶縁されるように寸法決めされる。各凹部２５０は、孔２５４が貫通穿孔されたトング部２５２を含む。孔２５４は、それぞれの凹部２５０内に垂直ライザを固定するための結合機構をその内部に受け入れるように寸法決めされる。
【００１７】
この実施例において、回路保護装置１００は更に、各々が電極２５８及び電極ホルダ２６０を含む、複数の電極アセンブリ２５６を含む。導体カバー２２８は、電極アセンブリ２５６どうしの間が電気的に絶縁されるように各電極アセンブリ２５６を各々が収容するように寸法決めされた、複数の絶縁チャネル２６２を含む。各絶縁チャネル２６２は、複数の側壁２６４によって画定される。具体的に、絶縁チャネル２６２は、電極ホルダ２６０どうしの間を電気的に絶縁する。また、絶縁チャネル２６２は、導体カバー２２８と導体基部２０４との間に位置する電極２５８と位相ストラップとの間を電気的に絶縁する。更に、導体カバー２２８は、円形の側壁２６８によって画定されるプラズマガン孔２６６を含む。プラズマガン孔２６６は、少なくとも部分的にプラズマガン（図示せず）をその内部に挿通可能なように寸法決めされる。プラズマガンが作動すると、アブレーションプラズマが放出され、電極２５８どうしの間にアークが形成される。
【００１８】
図４は、回路保護装置１００（図１に示す）に適用可能な位相電極アセンブリ３００の斜視図であり、図５は位相電極アセンブリ３００の別の斜視図である。この実施例において、位相電極アセンブリ３００は、複数の電極アセンブリ２５６を含む。位相電極アセンブリ３００は更に、複数の位相ストラップ３０２を含む。この実施例において、各位相ストラップ３０２は、銅等の導電性材料から成る。しかし、あらゆる適当な導電材料を使用可能である。また、各位相ストラップ３０２は、第１端部３０４、その反対側の第２端部３０６、上面３０８、その反対側の底面３１０、並びに第１側面３１２及び第２側面３１４を含む複数の側面を含む。側面３１２及び３１４並びに第１端部３０４は、内壁２１８が位相ストラップ３０２どうしの間を電気的に絶縁するように、導体基部２０４（図３に示す）の内壁２１８（図３に示す）と接触又は隣接して位置する。位相ストラップ３０２は更に、導体基部２０４との結合手段を含む。例えば、１つ以上の位相ストラップ３０２が、上面３０８と底面３１０との間に延在する中空支柱孔３１６を含む。中空支柱孔３１６は、導体カバー２２８が導体基部２０４に結合されているとき、位相ストラップ３０２がこの導体カバー２２８と導体基部２０４との間に位置した状態で、中空支柱２２２（図３に示す）が挿通されるように寸法決めされる。また、１つ以上の位相ストラップ３０２は、導体カバー２２８が導体基部２０４に結合されているとき、位相ストラップ３０２がこの導体カバー２２８と導体基部２０４との間に位置した状態で、中空支柱２２２に対向して位置するように寸法決めされた、凹部３１８を含む。また、１つ以上の位相ストラップ３０２は、導体基部２０４のそれぞれの絶縁領域２２０内に、位相ストラップ３０２を固定するための結合機構を挿通させるように寸法決めされた１つ以上の孔３２０を含む。各電極アセンブリ２５６は、位相ストラップ３０２から電極アセンブリ２５６へ電気エネルギーを移動させるために、電極ホルダ２６０が位相ストラップの第１端部３０４において位相ストラップの上面３０８と実質的に面一になるように、それぞれの位相ストラップ３０２に結合される。この実施例において、導体基部２０４（図２及び３に示す）は、位相ストラップ３０２と基板２０２（図２に示す）との間を電気的に絶縁する。
【００１９】
各位相ストラップ３０２は、垂直ライザ３２２に結合される。この実施例において、各垂直ライザ３２２は、銅等の導電性材料から成る。しかし、いずれの適当な導電材料も使用可能である。また、各垂直ライザ３２２は、前面３２４と、その反対側の後面３２６と、上面３３０を含む上端部３２８と、その反対側の、底面３３４を含む底端部３３２とを含む。垂直ライザ３２２は、垂直ライザ３２２から位相ストラップ３０２へ電気エネルギーを移動させるために、
垂直ライザの底面３３４が位相ストラップの上面３０８と実質的に面一になるように、位相ストラップ３０２に結合される。この実施例では、垂直ライザ３２２によって、電力供給時のバス（図示せず）内への回路保護装置１００の搬入、及び／又は電力供給時のバスからの回路保護装置１００の搬出が容易になる。別の実施例において、位相電極アセンブリ３００は、垂直ライザ３２２を含まない。このような実施例において、各位相ストラップ３０２は、直接接触して結合される等して、バスと結合される。
【００２０】
また、図５に示すように、クラスタ支持体３３６が、各垂直ライザ３２２の後面３２６に結合される。具体的には、クラスタ支持体３３６が、後面３２６内に形成された各凹部３３８の内部で垂直ライザ３２２に結合される。この実施例において、各クラスタ支持体３３６は、銅等の導電性材料から成る。しかし、いずれの適当な導電材料も使用可能である。また、バネクラスタ３４０等のコネクタが、取り外し可能に結合される等して、各クラスタ支持体３３６に結合される。バネクラスタ３４０は、回路の導体どうし（いずれも図示せず）の間を電気的に接続する。例えば、第１電極に電気エネルギーを供給するために相導体を第１バネクラスタに結合し、第２電極に接地点を設けるために接地導体を第２バネクラスタに結合し、中性導体を第３バネクラスタに結合してもよい。異なる電極に異なる位相で電気エネルギーを供給するために、それぞれのバネクラスタに複数の相導体を結合してもよいことは、理解されるべきである。
【００２１】
位相電極アセンブリ３００は、電気エネルギーを、導電路を介して導体から各電極２５８に移動させる。この実施例において、導電路は、バネクラスタ３４０、クラスタ支持体３３６、垂直ライザ３２２、位相ストラップ３０２、電極ホルダ２６０、及び電極２５８を含む。別の実施例において、位相電極アセンブリ３００は、垂直ライザ３２２、クラスタ支持体３３６、及び／又はバネクラスタ３４０を含まない。このような実施例において、導電路は、位相ストラップ３０２、電極ホルダ２６０、及び電極２５８を含む。
【００２２】
図６は、位相電極アセンブリ３００（図４及び５に示す）に適用可能な、例示的な調節可能電極アセンブリ２５６の図である。この実施例において、電極アセンブリ２５６は、長尺形状の電極２５８を含む。また、電極２５８は、その電極長を画定する第１端部４０２及びその反対側の第２端部４０４を有する。第２端部４０４は、実質的に球形状である。電極２５８は、外面４０６の周りに、実質的に電極の全長と等しい長さの第１外周を有する。この実施例において、電極２５８は、タングステンと鋼の合金等の消耗材料から成る。しかし、電極２５８では、その代わりに、この電極２５８を使用して電極２５８どうしの間の間隙内でアークフラッシュを発生させ得る、いずれの単一材料又は複数の材料のいずれの合金から成ってもよい。また、電極２５８はその代わりに、この電極２５８を再利用して電極２５８どうしの間の間隙内でアークフラッシュを発生させ得る、非消耗材料から成ってもよい。
【００２３】
この実施例において、電極アセンブリ２５６は更に、銅等の導電性材料から成る電極ホルダ２６０を含む。しかし、電極ホルダ２６０は、電極２５８と電極ホルダ２６０との間等、２つの異種材料間の熱的な問題を防止する、その他いずれの導電材料から成ってもよい。電極ホルダ２６０は更に、上面４０８及びその反対側の底面４１０を含む。電極ホルダ２６０は、第１側面４１２と、その反対側の第２側面４１４と、第１端面４１６と、その反対側の第２端面４１８とを含む、複数の側面を有する。複数の取付孔４２０が、上面４０８から底面４１０まで、電極ホルダ２６０に貫通穿孔される。対応する取付孔４２０に挿入するように寸法決めされたネジ又はボルト（図示せず）等の結合機構を使用して、電極ホルダ２６０が位相ストラップの上面３０８（図４に示す）に取り付けられる。具体的には、電極ホルダ２６０は、位相ストラップ３０２からこの電極ホルダ２６０へ電気エネルギーを移動させるために、電極ホルダの底面４１０が位相ストラップの第２端部３０６（図４に示す）において位相ストラップの上面３０８と実質的に面一になるように、位相ストラップ３０２（図４に示す）に結合される。
【００２４】
また、電極ホルダ２６０は、電極２５８を固定するクランプ部４２４を含む。より具体的には、クランプ部４２４により、例えば図４に示すように、電極２５８の位置を第１方向４２６に調節して、電極２５８どうしの間の電極間隙をより小さくできる。また、クランプ部４２４により、電極２５８の位置を第２方向４２８に調節して、電極２５８どうしの間の電極間隙をより大きくできる。更に、クランプ部４２４により、電極２５８を電極アセンブリ２５６から取り外して、修理及び／又は交換することができる。この実施例において、クランプ部４２４は、間隙４３４によって隔てられた第１部分４３０及び第２部分４３２を含む。クランプ部４２４は更に、電極２５８を受け入れるように寸法決めされた開口４３６を含む。開口４３６は、電極２５８の第１外周よりも僅かに大きい第２外周を有するが、この外周によって、電極２５８の位置調節及び／又は電極２５８の電極アセンブリ２５６からの取り外しが可能になる。クランプ部４２４は更に、開口４２６内に電極２５８を固定するクランプ機構４３８を含む。具体的に、クランプ機構４３８は、電極ホルダ２６０から電極２５８へ電気エネルギーを移動させるために、電極外面４０６が開口４３６の内面（図示せず）と実質的に面一になるように、電極２５８を固定する。この実施例において、クランプ機構４３８は、第１部分４３０から第２部分４３２内へと延在する、ネジ又はボルト（図示せず）である。このネジ又はボルトを締めると、第１部分４３０が付勢されて第２部分４３２に近付き、それによって間隙４３４が縮小して開口４３６の第２外周が小さくなり、開口４３６内に電極２５８が固定される。別の実施例において、クランプ機構４３８は、第１部分４３０等のクランプ部４２４から開口４３６内へと延在する、止めネジ（図示せず）である。こうした実施例では、電極外面４０６に対して直接的に、この止めネジを締めて、電極２５８を開口４３６内に固定する。幾つかの実施例では、電極２５８を開口４３６内の特定の位置に溶接する等して、開口４３６内に固定的に取り付ける。こうした実施形態のひとつでは、その後、別の電極２５８に対して及びプラズマガン孔２６６（図３に示す）に対して所望の位置に電極２５８が位置決めされるように、電極ホルダ２６０を調節可能である。
【００２５】
以上、電力分配器の保護装置で使用する装置の実施例を詳説した。これらの装置は、本明細書に記載の特定の実施形態に限定されることはなく、むしろ、方法の動作及び／又はシステム及び／又は装置の部品を、本明細書に記載のその他の動作及び／又は部品とは別個独立に利用してもよい。更に、記載の動作及び／又は部品を、その他のシステム、方法、及び／又は装置と組み合わせて形成又は使用してもよく、これらが本明細書に記載のシステム、方法、及び記憶媒体のみを用いた実施に限定されることはない。
【００２６】
電力分配環境の一例に関連して本発明を説明したが、その他の多くの汎用又は専用の電力分配環境又は構造においても、本発明の実施形態は機能する。電力分配環境は、本発明のあらゆる態様の用途又は機能の範囲について、いかなる限定も示唆するものではない。また、この電力分配環境は、動作環境の例において説明したあらゆる部品又は部品の組み合わせに関して、いかなる依存又は要件も有するものではないことを理解されたい。
【００２７】
本明細書において図示及び記述した、本発明の実施形態の動作の実行又は実施の順序は、特に明記しない限り必須ではない。即ち、明記しない限り、これらの動作をいかなる順序で実行してもよく、本発明の実施形態には、本明細書に記載したものよりも多くの動作又は少ない動作も含まれる。例えば、或る動作の実行又は実施が、別の動作の前であっても、別の動作と同時であっても、別の動作の後であっても、本発明の態様の範囲内であると考えられる。
【００２８】
本発明の態様又は本発明の実施形態の要素を説明する際、冠詞「ａ」「ａｎ」「ｔｈｅ」「ｓａｉｄ」は、その要素が１つ以上あることを示すことを意図している。「有する」「含む」「備える」という用語は、包括的であることを意図しており、列挙した要素以外にも追加の要素があり得ることを意図している。
【００２９】
本明細書では、最適な態様も含め、例を用いて本発明を開示したが、これによってまた、当業者は、任意の装置又はシステムの作製及び使用、並びに付随する任意の方法の実施を含め、本発明を実施できる。本発明の特許請求の範囲は、請求項に定義されているが、当業者に想到可能なその他の例も含み得る。こうした他の例は、請求項の文言と相違ない構成要素を有する場合、又は請求項の文言と実質的な相違を有さない等価の構成要素を有する場合、特許請求の範囲に含まれるものとする。
【符号の説明】
【００３０】
１００  回路保護装置
１０２  封じ込め区画
１０４  外殻
１０６  制御装置
２００  電気絶縁構造体
２０２  基板
２０４  導体基部
２０６  第１端部
２０８  第２端部
２１０  上面
２１２  底面
２１４  側壁
２１６  側壁の上面
２１８  内壁
２２０  電気絶縁領域
２２２  中空支柱
２２４  取付支柱
２２６  取付孔
２２８  導体カバー
２３０  第１端部
２３２  第２端部
２３４  上面
２３６  側壁
２３８  側壁の底面
２４０  垂直障壁
２４２  前面
２４４  後面
２４６  上面
２４８  底面
２５０  凹部
２５２  トング部
２５４  孔
２５６  電極アセンブリ
２５８  電極
２６０  電極ホルダ
２６２  絶縁チャネル
２６４  側壁
２６６  プラズマガン孔
２６８  側壁
３００  位相電極アセンブリ
３０２  位相ストラップ
３０４  第１端部
３０６  第２端部
３０８  上面
３１０  底面
３１２  第１側面
３１４  第２側面
３１６  中空支柱孔
３１８  凹部
３２０  孔
３２２  垂直ライザ
３２４  前面
３２６  後面
３２８  上端部
３３０  上面
３３２  底端部
３３４  底面
３３６  クラスタ支持体
３３８  凹部
３４０  バネクラスタ
４０２  電極の第１端部
４０４  電極の第２端部
４０６  電極の外面
４０８  電極ホルダの上面
４１０  電極ホルダの底面
４１２  第１側面
４１４  第２側面
４１６  第１端面
４１８  第２端面
４２０  取付孔
４２２  取付孔
４２４  クランプ部
４２６  第１方向
４２８  第２方向
４３０  第１部分
４３２  第２部分
４３４  間隙
４３６  開口
４３８  クランプ機構
【図１】
0005802093.tif 000002
【図２】
0005802093.tif 000003
【図３】
0005802093.tif 000004
【図４】
0005802093.tif 000005
【図５】
0005802093.tif 000006
【図６】
0005802093.tif 000007